(57)【要約】  複数の設置照明ユニット１１０を設定する方法は、第１の設置照明ユニット１１０が第１の論理グループのメンバーのままであるべきこと、及び第２の設置照明ユニット１１０が第２の論理グループに切り替えられるべきことを決定するステップを含む。方法は、例えば適切なインタラプタ３１０を介して、第１の設置照明ユニット１１０への電力の供給を遮断するステップを更に含み、これにより第１の設置照明ユニット１１０は、少なくとも第１の設置照明ユニット及び第２の設置照明ユニットのコントローラからの命令を受信することができない。方法は、コントローラから少なくとも第１の設置照明ユニット１１０及び第２の設置照明ユニット１１０に、命令を受信した任意の適切な照明ユニット１１０を第２の論理グループに参加させる当該命令を一斉送信するステップを更に含み、これにより第２の設置照明ユニット１１０を第２の論理グループに切り替えさせる。方法は、第１の設置照明ユニット１１０への電力の供給を再開させるステップを更に含み、これにより第１の設置照明ユニット１１０は、コントローラからの命令を受信し、当該命令に反応するように動作可能となる。
2017504941.tif 000002
【特許請求の範囲】
【請求項１】
複数の設置照明ユニットを設定する方法であって、
第１の設置照明ユニットは第１の論理グループのメンバーのままであるべきこと、及び第２の設置照明ユニットは第２の論理グループに切り替えられるべきことを決定するステップと、
前記第１の設置照明ユニットへの電力の供給を遮断し、これにより前記第１の設置照明ユニットは、少なくとも前記第１の設置照明ユニット及び前記第２の設置照明ユニットのコントローラからの命令を受信することができないステップと、
前記コントローラから少なくとも前記第１の設置照明ユニット及び前記第２の設置照明ユニットに、命令を受信した任意の適切な照明ユニットを前記第２の論理グループに参加させる当該命令を一斉送信し、これにより前記第２の設置照明ユニットを前記第２の論理グループに切り替えさせるステップと、
前記第１の設置照明ユニットへの電力の供給を再開し、これにより前記第１の設置照明ユニットは、前記コントローラからの命令を受信し、当該命令に反応するように動作可能となるステップと、
を含む、方法。
【請求項２】
前記第１の設置照明ユニットはポール上に設けられ、前記第１の設置照明ユニットへの電力の供給を遮断する前記ステップは、前記ポール上又は前記ポール内のアクセス可能な場所にある回路であって、前記第１の設置照明ユニットへの電力の供給を提供する当該回路を可逆的に遮断するステップを含む、請求項１に記載の方法。
【請求項３】
前記回路を可逆的に遮断する前記ステップは、前記アクセス可能な場所にあるスイッチを作動させるステップ、前記アクセス可能な場所にある回路ブレーカを作動させるステップ、及び前記アクセス可能な場所にあるヒューズを取り外すステップのうちの少なくとも１つを含む、請求項２に記載の方法。
【請求項４】
前記第１の設置照明ユニットへの電力の供給を遮断する前記ステップの前に、前記コントローラから少なくとも前記第１の設置照明ユニット及び前記第２の設置照明ユニットに、命令を受信した任意の適切な照明ユニットを前記第１の論理グループに参加させる当該命令を一斉送信し、これにより前記第１の設置照明ユニット及び前記第２の設置照明ユニットを前記第１の論理グループに参加させるステップを更に含む、請求項１乃至３の何れか一項に記載の方法。
【請求項５】
前記複数の設置照明ユニットの少数の論理グループがあることを決定し、前記少数の論理グループを前記第１の論理グループとして選択するステップを更に含む、請求項４に記載の方法。
【請求項６】
一斉送信する前記ステップは、電力線通信を介して命令を一斉送信するステップを含む、請求項１乃至５の何れか一項に記載の方法。
【請求項７】
第１の論理グループのメンバーであり、
命令を受信した任意の適切な照明ユニットを第２の論理グループに参加させる当該命令を受信し、
前記命令の受信に応じて、前記第１の論理グループから前記第２の論理グループに切り替わる、
照明ユニットと、
照明ユニットが命令を受信することのできないように照明ユニットへの電力の供給を遮断するのに適したインタラプタと、
を含む、照明器具。
【請求項８】
前記インタラプタは、前記照明器具上又は前記照明器具内のアクセス可能な場所に備えられる、請求項７に記載の照明器具。
【請求項９】
前記インタラプタは、スイッチ、回路ブレーカ、及びヒューズのうちの少なくとも１つを含む、請求項７又は８に記載の照明器具。
【請求項１０】
複数の照明ユニットを制御するためのコントローラであって、
第１の命令を受信した任意の適切な照明ユニットを第１の論理グループに参加させる当該第１の命令を一斉送信するように動作可能であり、
更に、第２の命令を受信した任意の適切な照明ユニットを第２の論理グループに参加させる当該第２の命令を一斉送信するように動作可能である、
コントローラ。
【請求項１１】
更に、前記第１の命令及び前記第２の命令のうちの少なくとも１つを、電力線通信を介して一斉送信するように動作可能である、請求項１０に記載のコントローラ。
【請求項１２】
請求項１０又は１１に記載のコントローラと、
１以上の請求項７乃至９の何れか一項に記載の照明器具と、
を含む照明ネットワークであって、前記照明器具は、前記コントローラからの１以上の命令を受信することができるように前記コントローラに接続されている、照明ネットワーク。
【発明の詳細な説明】
【技術分野】
【０００１】
本開示は、全体として照明ユニット、照明器具、及び照明ネットワークに関する。より詳細には、本開示は、照明ネットワークの照明ユニットをそれぞれの論理グループに割り当てることに関する。
【背景技術】
【０００２】
照明ネットワークは通常、環境を照明するために環境全体にわたって配置される複数の照明器具を含む。例えば屋外照明ネットワークは、道路ネットワークを照明するために道路沿いに設置される数百の照明器具を含み得る。
【０００３】
照明ネットワークの照明器具の全てが同じように挙動するのではないことが、ますます望ましくなっている。例えば屋外照明ネットワークは、道路ネットワーク内の例えばジャンクション、交差点、出口等といった、夜のうちのほとんどの間、十分に照明されなければならない場所にある照明器具だけでなく、夜のうちの１以上の部分の間、大幅に暗く調光されてもよい照明器具も含む。したがって、ネットワークの照明器具のうちの一部を、ネットワークの照明器具のうちの他の部分と別々に制御することが、ますます望ましくなっている。
【発明の概要】
【発明が解決しようとする課題】
【０００４】
本開示は、複数の照明ユニットを含む照明ネットワークにおいて、ネットワークのコントローラが照明ユニットの様々なグループを別々に制御し得るように、照明ユニットの各々が、少なくとも２つの論理グループのうちのそれぞれの１つに割り当てられ得る、当該照明ネットワークを意図する。斯様な照明ネットワークでは、照明ユニットの各々を照明ユニットの論理グループに割り当てる簡便な態様の必要性がある。
【課題を解決するための手段】
【０００５】
したがって本発明の一態様は、複数の設置照明ユニットを設定する方法を提供する。方法は、第１の設置照明ユニットは第１の論理グループのメンバーのままであるべきこと、及び第２の設置照明ユニットは第２の論理グループに切り替えられるべきことを決定するステップを含む。方法は、第１の設置照明ユニットへの電力の供給を遮断するステップを更に含み、これにより第１の設置照明ユニットは、少なくとも第１の設置照明ユニット及び第２の設置照明ユニットのコントローラからの命令を受信することができない。方法は、コントローラから少なくとも第１の設置照明ユニット及び第２の設置照明ユニットに、命令を受信した任意の適切な照明ユニットを第２の論理グループに参加させる当該命令を一斉送信するステップを更に含み、これにより第２の設置照明ユニットを第２の論理グループに切り替えさせる。方法は、第１の設置照明ユニットへの電力の供給を再開させるステップを更に含み、これにより第１の設置照明ユニットは、コントローラからの命令を受信し、当該命令に反応するように動作可能となる。
【０００６】
斯様な方法は簡単であり、したがって比較的熟練していない作業者によっても実行されることができ、これにより照明ネットワークを配備することに伴うコストを潜在的に低減させる。例えば照明ユニットは、当該照明ユニットがデフォルトで第１の論理グループのメンバーである設定で出荷時に設定される。照明ユニットが設置された後、コミッショニング技術者又は他の作業者は、例えば照明プランを用いて、第２の論理グループに切り替えられるべき任意の照明ユニットを決定するだけで足りる。次いでコミッショニング技術者又は他の作業者は、残りの照明ユニット（例えば照明ユニットの現在の論理グループに留まるべき任意の照明ユニット）への電力の供給を遮断し、一斉送信するステップを達成し、次いで残りの照明ユニットへの電力の供給を再開させる。結果として照明ユニットは、例えば照明プランに従って、グループ制御のために設定される。また、設定は設置の後になされるので、設置も簡便である。
【０００７】
様々な実施形態において、第１の設置照明ユニットはポール上に設けられ、第１の設置照明ユニットへの電力の供給を遮断するステップは、ポール上又はポール内のアクセス可能な場所にある回路であって、照明ユニットへの電力の供給を提供する当該回路を可逆的に遮断するステップを含む。
【０００８】
「アクセス可能な場所」との用語は、本明細書では、平均的な人が照明ポールの脇に立ちながら、すなわち梯子、クレーン等を必要とすることなく届く、照明ポール上又は照明ポール内の任意の場所を指す。例えば、アクセス可能な場所は好ましくは、地面から２メートルを超えない。例えば、アクセス可能な場所は照明ポールの内部にあり、取り外し可能なアクセスパネルによって覆われてもよい。
【０００９】
様々な実施形態において、回路を可逆的に遮断するステップは、アクセス可能な場所にあるスイッチを作動させるステップ、アクセス可能な場所にある回路ブレーカを作動させるステップ、及びアクセス可能な場所にあるヒューズを取り外すステップのうちの少なくとも１つを含む。
【００１０】
様々な実施形態において、方法は、第１の設置照明ユニットへの電力の供給を遮断するステップの前に、コントローラから少なくとも第１の設置照明ユニット及び第２の設置照明ユニットに、命令を受信した任意の適切な照明ユニットを第１の論理グループに参加させる当該命令を一斉送信するステップを更に含み、これにより第１の設置照明ユニット及び第２の設置照明ユニットを第１の論理グループに参加させる。
【００１１】
様々な実施形態において、方法は、複数の設置照明ユニットの少数の論理グループがあることを決定し、少数の論理グループを第１の論理グループとして選択するステップを更に含む。本明細書で用いられるとき、論理グループは、任意の他の論理グループが有する照明ユニットよりも少ないメンバーの照明ユニットを論理グループが有する場合に、少数の論理グループである。
【００１２】
したがって、第１のグループへの参加命令を一斉送信するステップは、命令を受信した全ての照明ユニットを少数の論理グループに参加させる。結果として、電力の供給を遮断するステップは、一斉送信する前第１の論理グループが多数の論理グループであった場合よりも少ない照明ユニットに対して実行される。
【００１３】
様々な実施形態において、一斉送信するステップは、電力線通信を介して命令を一斉送信するステップを含む。
【００１４】
第１の設置照明ユニット及び第２の設置照明ユニット、並びにオプションで１以上の更なる照明ユニットは、例えば単相、二相、又は三相のＡＣ電力といった共通の電力の電源に接続される。したがって、共通の電源に命令を符号化することは、符号化された命令が、当該電源に接続される全ての照明ユニットに一斉送信されることをもたらす。もちろん、命令が共通の電源に符号化される一方で、所与の１つの照明ユニットへの電力の供給が遮断される場合、この照明ユニットは符号化された命令を受信しない。
【００１５】
本発明の別の態様は、照明ユニットと、照明ユニットへの電力の供給を遮断するのに適したインタラプタとを含む照明器具を提供する。照明ユニットは第１の論理グループのメンバーであり、命令を受信した任意の適切な照明ユニットを第２の論理グループに参加させる当該命令をコントローラから受信し、コントローラからの命令を受信するのに応じて、第１の論理グループから第２の論理グループに切り替わる。
【００１６】
様々な実施形態において、インタラプタは、それぞれの照明ユニットへの電力の供給を可逆的に遮断するのに適している。
【００１７】
本明細書で用いられるとき、「インタラプタ」との用語は、電力の供給を遮断するのに適した任意の構造体、装置、又はメカニズムを含むように広く解釈されるべきである。
【００１８】
様々な実施形態において、インタラプタは、照明器具上又は照明器具内のアクセス可能な場所に備えられる。
【００１９】
様々な実施形態において、インタラプタは、スイッチ、回路ブレーカ、及びヒューズのうちの少なくとも１つを含む。
【００２０】
本発明の別の態様は、複数の照明ユニットを制御するためのコントローラであって、命令を受信した任意の適切な照明ユニットを第１の論理グループに参加させる当該命令を一斉送信するように動作可能である、当該コントローラを提供する。コントローラは更に、命令を受信した任意の適切な照明ユニットを第２の論理グループに参加させる当該命令を一斉送信するように動作可能である。
【００２１】
様々な実施形態において、コントローラは、命令（又は複数の命令）を、電力線通信を介して一斉送信するように動作可能である。
【００２２】
本発明の別の態様は、斯様なコントローラと１以上の照明器具とを含む照明ネットワークであって、照明器具（又は複数の照明器具）は、コントローラからの１以上の命令を受信することができるようにコントローラに接続されている、当該照明ネットワークを提供する。
【図面の簡単な説明】
【００２３】
【図１】実施形態による照明ネットワークによって照明される外部空間を示す。
【図２】図１の照明ネットワークのコントローラに通信可能に結合されている、当該照明ネットワークの照明ユニットを概略的に示す。
【図３】照明器具の照明ユニットへの電力の供給を手動で遮断するのに適した当該照明器具のインタラプタを含む、図１の照明ネットワークの照明器具を概略的に示す。
【図４】複数の図２の照明ユニットを、各々が所望の論理グループに割り当てられるように設定する方法を概略的に示す。
【発明を実施するための形態】
【００２４】
図１を参照すると、本発明の実施形態による屋外照明ネットワーク１００が、この場合には道路ネットワークの一部分である屋外空間を照明するために配置されている。屋外照明ネットワーク１００は、複数の照明器具１０５を含む。屋外照明ネットワーク１００は、照明器具１０５と通信するネットワーク制御システム（図１には示されず、図２における参照番号２３５である）を更に含む。
【００２５】
照明器具１０５の各々は、図１に示されるように、１つ又は２つのいずれかの照明ユニット１１０を含む。照明器具１０５の各々は、垂直なポールを更に含み、当該垂直なポールは地面に固定され、地面から一定の距離（例えば４メートル）で照明ユニット（又は複数の照明ユニット）１１０を支持する。
【００２６】
図２を参照すると、照明ユニット１１０の各々は、１以上の光源２００と、１以上の光源２００に接続される電源回路２０５（以下、「ドライバ」）と、ドライバ２０５に接続されるコントローラ２１０（以下、「照明コントローラ」）とを含む。照明ユニット１１０の各々は、電力の供給を受けるための電力入力２１５を含み、照明ユニット１１０の能動部品の各々は、電力入力２１５を介して当該能動部品の電力を受ける。照明ユニット１１０の各々は、照明コントローラ２１０に接続されるオプションの光センサモジュール２２０と、照明コントローラ２１０に接続される受信器２２５とを更に含む。照明コントローラ２１０は、メモリ（示されていない）を含む。受信器２２５は、ネットワーク制御システム２３５の送信器２３０からデータを受信するのに適している。図２による実施形態はネットワーク制御システム２３５から照明ユニット１１０にデータ及び／又は命令を送信するのに電力線通信を用いるので、図２は、電力入力２１５を介して送信器２３０から受信器２２５に流れるデータ及び／又は命令を表す矢印を含む。電力線通信を介してデータ及び／又は命令を送信する適切な方法は、出願人の同時係属中の米国特許出願１３／７５５１２２号（代理人整理番号２０１１ＰＦ０１４４５）に開示されている。様々な実施形態において、受信器２２５は他の態様で、例えば無線通信によって送信器２３０からデータを受信するのに適していてもよい。
【００２７】
様々な実施形態において、受信器２２５及び送信器２３０はそれぞれの送受信器の一部であってもよく、これにより照明ユニット１１０とネットワーク制御システム２３５との間の双方向通信を可能にする。図２は、照明ユニット１１０からネットワーク制御システム２３５へのバックチャンネルを表す破線の矢印を含む。
【００２８】
ネットワーク制御システム２３５は、送信器２３０に接続されるコントローラ２４０であって、命令及び／又はデータを生成し、送信器２３０を介して当該命令及び／又はデータを照明ユニット１１０に送信する当該コントローラ２４０（以下、「ネットワークコントローラ」）を更に含む。
【００２９】
様々な実施形態において、任意の１以上の光源２００、ドライバ２０５、光センサモジュール２２０、受信器／送受信器２２５、及び送信器／送受信器２３０は、それ自体当業者に知られている構成要素である。したがって、これらの構成要素自体は、本明細書では詳細に説明されない。
【００３０】
図３を参照すると、照明器具１０５の各々は、アクセス可能な場所３００において、照明器具１０５の照明ユニット１１０への電力の供給を手動で遮断するためのインタラプタを更に含む。例えば照明器具１０５の各々は、照明器具１０５の照明ユニット１１０の電力入力２１５に電力の供給を送達する電力線３０５を含み、電力線３０５は、アクセス可能な場所３００において、電力線３０５のヒューズユニット等のインタラプタ３１０を含む。ヒューズユニット３１０は、ヒューズが手動で取り外され、及び元の位置に戻されることを可能にし、これによりコミッショニング技術者又は他の作業員（以下、便宜のために「技術者」と呼ぶ）が、電力の供給を照明ユニット１１０に提供する回路を可逆的に遮断することを可能にする。様々な実施形態において、電力線３０５は、技術者が電力の供給を照明ユニット１１０に提供する回路を可逆的に遮断するために、ヒューズユニット３１０の代わりに又はヒューズユニット３１０に加えて、スイッチ、回路ブレーカ等を含んでもよい。
【００３１】
屋外照明ネットワーク１００を説明したが、次に図４を参照して、屋外照明ネットワーク１００を設定する方法４００が説明される。以下の説明では、屋外照明ネットワーク１００は（本明細書では説明される必要のない従来の態様で）既に設置されていることが仮定される。便宜のために、方法は、２つだけの照明ユニット１１０及び２つの論理グループに関して説明される。実際の実施形態では、屋外照明ネットワーク１００は多くの照明ユニット１１０を含み、照明ユニット１１０の各々が以下の方法を用いて設定され得ることが理解されるであろう。同様に、説明される方法が論理グループを用いて適用され得る論理グループの数には制限がない。
【００３２】
様々な実施形態において、また、図４を参照して、方法４００は一般的に以下のように進む。
【００３３】
最初にオプションで、（ステップＳ４０５において）第１のグループへの参加命令が、コントローラ２４０から、少なくとも第１の照明ユニット１１０及び第２の照明ユニット１１０に一斉送信される。第１のグループへの参加命令は、当該参加命令を受信した任意の適切な照明ユニットを第１の論理グループに参加させる。したがって、第１のグループへの参加命令を一斉送信するステップは、第１の照明ユニット及び第２の照明ユニットを第１の論理グループに参加させる。第１のグループへの参加命令を一斉送信するステップは、技術者によって、例えば直接コントローラ２４０において当該コントローラ２４０上の適当なボタンを押すことにより達成されるか、又はコントローラ２４０と通信する携帯制御装置を介してリモートで達成されてもよい。このステップは、例えば照明ユニット１１０が（出荷時に設定される）デフォルト設定を有し、これによりこれら照明ユニット１１０が既に第１の論理グループのメンバーである場合には省略される。
【００３４】
次に、（ステップＳ４１０において）第１の照明ユニット１１０は第１の論理グループのメンバーのままであるべきこと、及び第２の照明ユニット１１０は第２の論理グループに切り替えられるべきことが決定される。技術者はこれを例えば、どの照明ユニット１１０がどの論理グループに割り当てられるべきかを示す照明プランを参考にすることによって決定する。
【００３５】
次に、（ステップＳ４１５において）第１の照明ユニット１１０への電力の供給が遮断される。第１の照明ユニット１１０は、電力の供給が遮断されている間、コントローラ２４０からの命令を受信することができない。第１の照明ユニット１１０への電力の供給を遮断するステップは、照明ユニット１１０が取り付けられているポール上又はポール内のアクセス可能な場所にある回路であって、第１の照明ユニット１１０への電力の供給を提供する当該回路を可逆的に遮断するステップを含む。例えば技術者は、アクセス可能な場所３００においてポールに固定されているパネルを取り外し、これによりヒューズユニット３１０を露出させる。次いで技術者は、ヒューズユニット３１０からヒューズを取り外し、これにより照明ユニット１１０への電力の供給を遮断することができる。
【００３６】
次に、（ステップＳ４２０において）第２のグループへの参加命令がコントローラから少なくとも第１の照明ユニット及び第２の照明ユニットに、すなわち第１の照明ユニット１１０への電力の供給が遮断されている間に一斉送信される。第２のグループへの参加命令は、当該参加命令を受信した任意の適切な照明ユニットを第２の論理グループに参加させる。したがって、第２のグループへの参加命令を一斉送信するステップは、第２の照明ユニット１１０を第２の論理グループに参加させる（第１の照明ユニット１１０は参加させない）。技術者は、この一斉送信するステップを、ステップ４０５において一斉送信するステップと同様の態様で達成する。
【００３７】
次いで、（ステップＳ４２５において）第１の照明ユニット１１０への電力の供給が再開される。結果として第１の照明ユニット１１０は、コントローラ２４０からの命令を受信し、当該命令に反応するように動作可能となる。技術者は、ステップ４１５において技術者が行ったことを逆にすることによって、電力の供給を再開させることができ、例えば、技術者はヒューズをヒューズユニット３１０内の元の位置に戻す。
【００３８】
上述の方法４００の結果として、照明ユニット１１０は、各々が複数の論理グループのうちの所望の１つに割り当てられるように設定される。その後、コントローラ２４０は照明ユニット１１０に、照明に関する命令の対象となる論理グループを特定した当該照明に関する命令を一斉送信し、特定された論理グループに割り当てられた照明ユニット１１０だけが当該照明に関する命令に反応する。例えば、第１の論理グループは環境光ポイント（ＡＭＰ）のグループであり、第２の論理グループは交通注意ポイント（ＴＡＰ）のグループである。ＴＡＰグループは、道路ネットワーク内の例えば交差点、出口等の、ある程度の交通の操作が必要とされる場所にある任意の照明ユニット１１０を含む。照明に関する命令の例は、暗く調光する命令であり、ＡＭＰの照明ユニット１１０を対象とするときには、ＴＭＰの照明ユニット１１０を対象とするときよりも「より暗い」調光を引き起こし、より暗い調光は大幅なエネルギ節約を可能にする。
【００３９】
前述の説明は、単に例示的に与えられている。当業者は、本明細書の請求項の範囲内の多数の修正及び代替の実施形態を理解するであろう。例えば前述の説明は、光源２００を検討している。「光源」との用語は、次に限定されないが、ＬＥＤベースの光源（上述の１以上のＬＥＤを含む）、白熱光源（例えばフィラメント電球、ハロゲンランプ）、蛍光光源、りん光性光源、高輝度放電光源（例えばナトリウム蒸気ランプ、水銀蒸気ランプ、及びメタルハライドランプ）、レーザ、その他のタイプのエレクトロルミネセンス源、キャンドルルミネセンス源（例えばガスマントル光源、カーボンアーク放射光源）、フォトルミネセンス源（例えばガス状放電光源）、電子飽和（electronic satiation）を使用する陰極発光源（cathode luminescent sources）、ガルバノルミネセンス源、結晶発光（crystallo‐luminescent）源、キネルミネセンス（kine‐luminescent）源、熱ルミネセンス源、摩擦ルミネセンス（triboluminescent）源、音ルミネセンス（sonoluminescent）源、放射ルミネセンス（radioluminescent）源、及び発光ポリマ（luminescent polymers）を含む、様々な放射源のうちの任意の１以上を指すものと理解すべきである。
【００４０】
前述の説明は照明ユニット１１０を検討している。「照明ユニット」との用語は、本明細書では、同じ又は異なるタイプの１以上の光源を含む装置を指すのに使用される。所与の照明ユニットは様々な、光源（又は複数の光源）のための取付けアレンジメント、筐体／ハウジングのアレンジメント及び形状、並びに／又は電気的及び機械的接続構成のうちの任意のものを有してよい。更に、所与の照明ユニットは、オプションで、光源（又は複数の光源）の動作に関する様々な他の構成要素（例えば制御回路）と関連付けられてよい（例えば、含む、結合される、及び／又は一緒にパッケージされる）。
【００４１】
前述の説明は、照明コントローラ２１０及びネットワークコントローラ２４０を検討している。「コントローラ」との用語は、本明細書では一般的に、１以上の光源又はデバイスの動作に関する様々な装置を説明するのに使用される。コントローラは、本明細書に説明される様々な機能を実行するように、多数の態様（例えば専用ハードウェアを用いて等）で実施され得る。「プロセッサ」は、本明細書に説明される様々な機能を実行するように、ソフトウェア（例えばマイクロコード）を使用してプログラムされ得る１以上のマイクロプロセッサを使用するコントローラの一例である。コントローラは、プロセッサを使用してもしなくても実施されることができ、また、一部の機能を実行する専用ハードウェアと、その他の機能を実行するプロセッサ（例えば１以上のプログラムされたマイクロプロセッサ及び関連回路）との組合せとして実施されてもよい。本開示の様々な実施形態において使用され得るコントローラ構成要素の例は、次に限定されないが、従来のマイクロプロセッサ、特定用途向けＩＣ（ＡＳＩＣ）、及びフィールドプログラマブルゲートアレイ（ＦＰＧＡ）を含む。様々な実現形態において、プロセッサ又はコントローラは、１以上の記憶媒体（例えばＲＡＭ、ＰＲＯＭ、ＥＰＲＯＭ及びＥＥＰＲＯＭ、フロッピー（登録商標）ディスク、コンパクトディスク、光学ディスク、磁気テープ等の揮発性及び不揮発性のコンピュータメモリであり、本明細書では総称的に「メモリ」と呼ばれる）と関連付けられる。いくつかの実現形態では、記憶媒体は、１以上のプロセッサ及び／又はコントローラ上で実行されるときに、本明細書に説明される機能の少なくとも一部を実行する１以上のプログラムによって符号化されてよい。様々な記憶媒体は、プロセッサ又はコントローラ内に固定されるか、又は記憶媒体に記憶された１以上のプログラムが、本明細書に説明される本発明の様々な態様を実施するために、プロセッサ又はコントローラ内へとロードされ得るように移動可能であってもよい。
【００４２】
「送信器」、「受信器」及び「送受信器」との用語は、本明細書では総称的な意味でそれぞれ、信号を送信すること、信号を受信すること、及び、信号を送信することと信号を受信することとの両方に適した、任意のタイプの装置を指して使用される。
【００４３】
前述の説明は、照明器具１１０を検討している。「照明器具」との用語は、本明細書では、特定のフォームファクタ、アセンブリ又はパッケージでの１以上の照明ユニットの実行又はアレンジメントを指すために用いられる。
【００４４】
前述の説明は、屋外照明ネットワーク１００を検討している。「ネットワーク」との用語は、本明細書において使用される場合、任意の２以上のデバイス（コントローラ又はプロセッサを含む）間及び／又はネットワークに結合された複数のデバイス間での、（例えばデバイス制御、データ記憶、データ交換等のための）情報の転送を容易にする、２以上のデバイスの任意の相互接続を指す。容易に理解されるとおり、複数のデバイスを相互接続するのに適したネットワークの様々な実現形態は、様々なネットワークトポロジのうちの任意のものを含んでよく、様々な通信プロトコルのうちの任意のものを使用してよい。更に、本開示による様々なネットワークにおいて、２つのデバイス間の任意のある接続は、２つのシステム間の専用接続を表すか、又は代替的に非専用接続を表してもよい。２つのデバイスに向けられた情報を担持することに加えて、斯様な非専用接続（例えばオープンネットワーク接続）は、必ずしも２つのデバイスのいずれにも向けられていない情報を担持し得る。
【００４５】
前述の概念の全ての組合せ（こうした概念が互いに矛盾しないことを前提とする）は、本明細書に開示される発明の主題の一部として考えられることを理解すべきである。特に、本開示の末尾に現れる特許請求される主題の全ての組合せは、本明細書に開示される発明の主題の一部として考えられる。
【図１】
2017504941.tif 000003
【図２】
2017504941.tif 000004
【図３】
2017504941.tif 000005
【図４】
2017504941.tif 000006
【国際調査報告】
2017504941.tif 000007
2017504941.tif 000008
2017504941.tif 000009